(57)【特許請求の範囲】
【請求項１】
撮影機構が組み付けられた本体基部と、この本体基部の前面，上面，および左右側面を覆う前カバーと、本体基部の背面を覆う後カバーとからなるユニット本体に、ストロボ充電が完了したときに点灯するネオンランプを備えたストロボ装置を組み込むとともに、前記ユニット本体の上面に設けた確認窓から前記ネオンランプを露呈させたストロボ内蔵型レンズ付きフイルムユニットにおいて、
前記ストロボ装置の前面，左右側面，および背面のいずれかを覆う前カバーまたは後カバーの内壁に、前記確認窓とネオンランプとの間に突出し、かつ確認窓の開口部を分割するリブを一体に設けたことを特徴とするストロボ内蔵型レンズ付きフイルムユニット。
【発明の詳細な説明】
【０００１】
【発明の属する技術分野】
本発明は、ストロボ発光の可否を表示するための確認窓が上面に形成されたストロボ内蔵型レンズ付きフイルムユニットに関するものである。
【０００２】
【従来の技術】
いつでも手軽に写真撮影を楽しむことができるように、本出願人によりレンズ付きフイルムユニットが製造販売されている。レンズ付きフイルムユニットは、簡単な撮影機構を組み込んだユニット本体に予め写真フイルムを内蔵させ、このユニット本体を化粧用の外装体で覆ったもので、購入したその場ですぐに写真撮影ができ、また撮影後にもそのまま現像取扱い店に出せばよいという簡便性から、一般に広く利用されている。このレンズ付きフイルムユニットには、例えば「写ルンですＳｕｐｅｒ８００」（商品名）等のように基本的な撮影機構のみを組み込んだものから、「写ルンですＦｌａｓｈ  」（商品名）等のようにストロボ装置を備え、夜間や室内での撮影を可能としたものなど様々な種類があり、ユーザーは用途に応じたものを選択することができる。
【０００３】
このようなレンズ付きフイルムユニットに組み込まれるストロボ装置は、ユニット本体への組み込み作業を簡便化するためにユニット化されている。図６に示すように、ストロボ装置１０は、プリント基板１１上に充電および放電の制御を行うためのストロボ回路を実装した構成となっている。プリント基板１１には、ストロボ光を放出するストロボ発光部１２，ストロボ発光用の電荷を蓄積するメインコンデンサ１３，ストロボ発光の可否を知らせるためのネオンランプ１４，電源用の電池１５を保持するための電池ホルダー１６等の部品が取り付けられているとともに、充電回路の一部を開放状態にしたプリント接点１７と、放電回路の一部を開放状態にしたシンクロ接点１８とが設けられている。ネオンランプ１４は、メインコンデンサ１３への充電量がストロボ発光に必要な規定電圧に達したときに点灯し、ストロボ発光が可能になったことを知らせる。プリント接点１７は、ユニット本体に設けられたストロボ充電スイッチを押し込み操作したときに接触片１９により短絡される。プリント接点１７が短絡されると充電回路が作動し、メインコンデンサ１３への充電が行われる。シンクロ接点１８は一対の接片１８ａ，１８ｂからなり、シャッターレリーズに連動してこれらの接片１８ａ，１８ｂが接触される。接片１８ａ，１８ｂが接触されると放電回路が作動し、ストロボ発光部１２からストロボ光が放出される。
【０００４】
上記構成のストロボ装置を内蔵するレンズ付きフイルムユニットは、ユニット本体にネオンランプを露呈するための確認窓が設けられている。そして撮影者は、この確認窓を通してネオンランプの状態を観察することで、ストロボ発光の可否を知ることができるようになっている。
【０００５】
【発明が解決しようとする課題】
しかしながら、従来のレンズ付きフイルムユニットにおいては、確認窓はユニット本体の上面に設けられ、しかも外装体に形成された開口から露呈されたままにされるので、例えば降雨時や海水浴場などの水辺で撮影を行う場合には、雨水や海水などの液体が確認窓からユニット本体内に浸入する危険性がある。確認窓の内側には、ストロボ回路を実装したプリント基板が配置されているので、確認窓から液体が浸入すると、ストロボ回路の短絡や腐食などを招き、ストロボ装置の動作に支障をきたす。
【０００６】
こうした問題を解決するために、確認窓と外装体の開口との少なくともいずれか一方に透明部材を貼り付けて確認窓を塞ぐ方法が考えられる。ところが、この方法では、レンズ付きフイルムユニットの部品点数を増加させるとともに、製造工程内に透明部材の貼付け工程を新設する必要があるので、レンズ付きフイルムユニットの製造コストの上昇を招くこととなる。
【０００７】
本発明は上記の事情を考慮してなされたもので、製造コストを上昇させることなく、確認窓からの液体の浸入を抑え、ストロボ回路の短絡，腐食を防止するストロボ内蔵型レンズ付きフイルムユニットを提供することを目的とする。
【０００８】
【課題を解決するための手段】
上記目的を達成するために、本発明のストロボ内蔵型レンズ付きフイルムユニットは、ストロボ装置の前面，左右側面，および背面のいずれかを覆う前カバーまたは後カバーの内壁に、確認窓とネオンランプとの間に突出し、かつ確認窓の開口部を分割するリブを一体に設けるものである。
【０００９】
【発明の実施の形態】
図２は、本発明を実施したストロボ内蔵型レンズ付きフイルムユニット（以下レンズ付きフイルムユニットとする）の外観を示すものである。レンズ付きフイルムユニット２０は、簡単な撮影機構や写真フイルムが組み込まれたユニット本体２１と、これを覆う外装体３１とから構成される。外装体３１は、レンズ付きフイルムユニット２０の外観を綺麗にするためのものであり、表面に印刷が施された紙箱等が用いられる。外装体３１の所要部には、ユニット本体２１に設けられた撮影レンズ２２，ファインダー対物窓２３，ストロボ発光窓２４，ストロボ充電スイッチ２５，巻上げノブ２６，シャッターボタン２７，カウンター表示窓２８，およびストロボ発光の可否を確認するための確認窓２９の各々を露呈させるための開口３２〜３９が形成されており、この外装体３１をユニット本体２１に被せたままの状態で撮影操作が行えるようになっている。
【００１０】
ユニット本体２１は、図３に分解して示したように、本体基部４１と、その上面，前面，および左右側面を覆うように被せられる前カバー４２と、本体基部４１の背面を覆うように被せられる後カバー４３とから構成されている。本体基部４１の両側部には、パトローネ４４を収納するためのパトローネ室４５と、パトローネ４４から全て引き出してロール状にした写真フイルム４６を収納するフイルムロール室４７とが一体に設けられており、これらの間に、写真フイルム４６の露光範囲を規定するためのアパーチャー４８が形成されている。パトローネ室４５およびフイルムロール室４７の底部は開口となっており、後カバー４３の底面側に設けたプルトップ式の底蓋４９ａ，４９ｂによってそれぞれ塞がれる。
【００１１】
本体基部４１には、アパーチャー４８の前面に露光ユニット５０が、また露光ユニット５０とフイルムロール室４７との間には前述したストロボ装置１０がそれぞれ取り付けられ、前カバー４２と後カバー４３とによって挟持される。なお、露光ユニット５０は、撮影レンズ２２，ファインダー光学系，フイルム巻き止め機構，およびシャッター機構をシャッターベース５０ａ上に組み付けてユニット化したものである。
【００１２】
前カバー４２には、ファインダー対物窓２３，ストロボ発光窓２４，ストロボ充電スイッチ２５，シャッターボタン２７，カウンター表示窓２８，および確認窓２９が形成されている。また図４に示すように、ストロボ装置１０の前面を覆う前カバー４２の内壁には、確認窓２９の開口部を分割するようにリブ５５ａ，５５ｂが一体に設けられている。図５に示すように、リブ５５ａ，５５ｂは確認窓２９を塞ぐ面積が小さくなるように、それぞれの厚さが極めて薄く形成されている。
【００１３】
この前カバー４２を本体基部４１に被せると、ストロボ発光窓２４からはストロボ装置１０のストロボ発光部１２が露呈され、確認窓２９の内側にネオンランプ１４が配置される。またストロボ充電スイッチ２５の内側には、プリント接点１７短絡用の接触片１９が配置される。また図１に示すように、ネオンランプ１４の上方には、前カバー４２の内壁に設けたリブ５５ａ，５５ｂが突出する。
【００１４】
以上のように構成されたレンズ付きフイルムユニット２０を用いてストロボ撮影を行うときには、まず巻上げノブ２６の回動がロックされるまで反時計方向に回転操作をしてシャッターチャージを行うとともに、ストロボ充電スイッチ２５を押し込み操作する。ストロボ充電スイッチ２５が押し込まれると、このストロボ充電スイッチ２５の内側に配置された接触片１９がプリント接点１７を短絡し、メインコンデンサ１３への充電が行われる。
【００１５】
次に、撮影者は確認窓２９を通してネオンランプ１４の状態を観察し、ストロボ発光の可否を確認する。この際、確認窓２９とネオンランプ１４との間にリブ５５ａ，５５ｂが突出し、確認窓２９内の視野を一部遮っているが、リブ５５ａ，５５ｂの厚さを薄く形成しておくことで、ネオンランプ１４の視認性の悪化を抑えることができる。
【００１６】
そして、メインコンデンサ１３への充電量がストロボ発光に必要な規定電圧に達するとネオンランプ１４が点灯する。撮影者は、ネオンランプ１４の点灯を確認した後に、被写体のフレーミングを行い、シャッターボタン２７を押し込むと、このシャッターレリーズに連動してシンクロ接点１８の接片１８ａ，１８ｂが接触され、ストロボ発光部１２からストロボ光が放出される。同時に、露光ユニット５０に組み付けられたシャッター機構が作動し、撮影レンズ２２を通過した被写体光が写真フイルム４６上に露光される。
【００１７】
ところで、このレンズ付きフイルムユニット２０を用いて降雨時や水辺で撮影を行う場合、水滴がレンズ付きフイルムユニット２０の上面に開口した確認窓２９からユニット本体２１内に浸入することが危惧される。この確認窓２９の内側にはプリント基板１１が配置されており、このプリント基板１１に水滴が付着すると、ストロボ回路の短絡や腐食を招くので、ユニット本体２１内に水滴が浸入することは絶対に避けなくてはならない。この点、確認窓２９の内側に、この確認窓２９の開口部を分割するリブ５５ａ，５５ｂを設けておくと、これらのリブ５５ａ，５５ｂによって確認窓２９の開口部が狭められるので、確認窓２９から水滴が浸入する可能性が低くなる。また図１に示すように、リブ５５ａ，５５ｂがプリント基板１１の前面を覆う前カバー４２の内壁に一体に設けられているので、万が一確認窓２９から水滴５７が入り込んだとしても、この水滴５７はリブ５５ａ，５５ｂを伝って前カバー４２の内壁に導かれる。これにより、水滴５７がプリント基板１１に付着してストロボ装置１０の故障を招くことが防止され、安定してストロボ撮影を行うことができる。なお、リブ５５ａ，５５ｂは前カバー４２と一体成形されるので、レンズ付きフイルムユニット２０の部品点数や組立工程数が増えることはなく、製造コストの上昇を招くことはない。
【００１８】
なお、上記実施形態では前カバーの内壁に２枚のリブを設けたが、ただ１枚のリブを設けるだけでも同様の作用効果を得ることが期待できる。リブの枚数が少なくなれば確認窓内の視野を遮る面積も小さくなるので、ネオンランプの視認性がより向上する。また、ネオンランプの視認性を損なわない範囲であれば、リブの枚数は３枚以上であってもよい。さらに、リブは確認窓の開口部を分割し、かつストロボ装置を覆うカバー部材の内壁に連設されればよいので、前カバーの側面に設けてもよく、また後カバーの内壁でもよい。
【００１９】
【発明の効果】
以上のように本発明によれば、ストロボ発光の可否を表示する確認窓の内側に、この開口部を分割するリブを設けるので、リブによって確認窓の開口部が狭められ、ここから水滴が浸入する可能性が低くなる。また、リブはストロボ装置の前面，左右側面，および背面のいずれかを覆う前カバーまたは後カバーの内壁に一体に設けられるので、万が一、確認窓から水滴が浸入したとしても、この水滴はリブを伝って前カバーまたは後カバーの内壁に向けて導かれる。これにより、水滴がプリント基板に付着することがなくなり、ストロボ装置の故障が防止される。また、リブは前カバーまたは後カバーと一体成形されるので、レンズ付きフイルムユニットの部品点数や組立工程数が増加することはなく、製造コストの上昇を招くこともない。
【図面の簡単な説明】
【図１】本発明を実施したストロボ内蔵型レンズ付きフイルムユニットの要部概略図である。
【図２】ストロボ内蔵型レンズ付きフイルムユニットの構成を示す説明図である。
【図３】図２に表したユニット本体の分解斜視図である。
【図４】前カバーの内壁側を示す要部説明図である。
【図５】前カバーの上面を示す要部概略図である。
【図６】ストロボ装置の構成を示す概略図である。
【符号の説明】
１０  ストロボ装置
１１  プリント基板
１４  ネオンランプ
２０  レンズ付きフイルムユニット
２１  ユニット本体
２９  確認窓
４１  本体基部
４２  前カバー
４３  後カバー
５５ａ，５５ｂ  リブ
５７  水滴
【図１】
0003606684.tif 000002
【図２】
0003606684.tif 000003
【図３】
0003606684.tif 000004
【図４】
0003606684.tif 000005
【図５】
0003606684.tif 000006
【図６】
0003606684.tif 000007